(57)【要約】【課題】製造コストを抑制しつつ、強度ムラが低減された光を広範囲に照射可能な照明器具、及びそれを備えた洗面化粧台を提供する。【解決手段】照明器具４は、発光面Ｆが水平方向又は斜め下方を向くように設置されたＬＥＤ光源１０と、ＬＥＤ光源からの出射光を内面で受光可能に設けられるとともに、ＬＥＤ光源の下方からＬＥＤ光源の水平方向に向かって、ＬＥＤ光源から離間しつつ延びるような形態で設けられたカバー２０と、を備える。これにより、カバーの大きさが確保されるとともに、そのカバーの内面に対してＬＥＤ光源の出射光が広く照射される。また、ＬＥＤ光源から出射される光は、強度が大きい光ほど遠い位置でカバーに入射するので、カバーからの出射光の強度ムラが低減される。このため、導光板等の光を拡散させる部材を用いることなく、強度ムラが低減された光を広範囲に照射することができ、コストの面で有利である。【選択図】図７
2020109776.tif 000002
【特許請求の範囲】
【請求項１】
ミラーと、
前記ミラーの上方に配された照明器具と、
を備え、
前記照明器具は、
発光面が前記ミラーの正面方向である斜め下方を向くように設置された複数のＬＥＤ光源と、
前記ＬＥＤ光源からの出射光を内面で受光可能に設けられたカバーと、
を有し、
前記カバーは、前記複数のＬＥＤ光源が配列した方向と直交する断面において、真っ直ぐに、且つ鉛直面及び水平面と交差する方向に延びる照射面部を含む
ことを特徴とする洗面化粧台。
【請求項２】
前記照射面部は、前記発光面に対して交差することを特徴とする請求項１に記載の洗面化粧台。
【請求項３】
更に、前記ミラーの後方に設けられた収納部を備え、
前記ＬＥＤ光源は、前記ミラーよりも後方に配され、前記収納部を照射可能とされていることを特徴とする請求項１から請求項２までの何れか１項に記載の洗面化粧台。
【請求項４】
前記照射面部には、前記ＬＥＤ光源からの出射角度０°の光が出射される請求項１から請求項３までの何れか１項に記載の洗面化粧台。
【請求項５】
前記照射面部の法線方向は、前記出射角度０°の方向と異なる請求項４に記載の洗面化粧台。
【請求項６】
前記照射面部の上端は、前記ＬＥＤ光源の位置よりも低い請求項１から請求項５までの何れか１項に記載の洗面化粧台。
【発明の詳細な説明】
【技術分野】
【０００１】
本発明は、洗面化粧台に関する。
【背景技術】
【０００２】
近年、省電力化等を目的として、ＬＥＤ（Light Emitting Diode；発光ダイオード）を光源とする照明器具が普及しつつある。このような照明器具としては、例えば、ＬＥＤ光源が真下を向くように配置され、その真下にカバーを備えた照明器具が知られている。しかしながら、ＬＥＤ光源から発せられる光は強い直進性を有しているため、このような照明器具では光の強度ムラを生じやすい。
【０００３】
このため、特許文献１のような照明器具が開示されている。特許文献１の照明装置は、ＬＥＤ光源（点状光源）、導光板、及び照明カバーを備えている。導光板は、ＬＥＤ光源の発光面前方に、ＬＥＤ光源から出射される光を入射可能に配置されている。照明カバーは、導光板を覆うように配置され、導光板から出射した光が透過する。この場合、導光板は、ＬＥＤ光源からの光を入射面から入射して内部で拡散し、入射面よりも広い出射面から出射する。これにより、強度ムラの低減された光を広範囲に照射可能な照明器具を実現している。
【先行技術文献】
【特許文献】
【０００４】
【特許文献１】特開２０１４−１７５２１４号公報
【発明の概要】
【発明が解決しようとする課題】
【０００５】
しかし、特許文献１の照明器具は、強度ムラを低減した光を広範囲に照射することが可能であるものの、導光板が必要であるため、その分コスト高であった。
【０００６】
本発明は、上記従来の実情に鑑みてなされたものであって、製造コストを抑制しつつ、強度ムラが低減された光を広範囲に照射可能な照明器具、及びそれを備えた洗面化粧台を提供することを解決すべき課題としている。
【課題を解決するための手段】
【０００７】
本発明の照明器具は、発光面が水平方向又は斜め下方を向くように設置されたＬＥＤ光源と、
前記ＬＥＤ光源からの出射光を内面で受光可能に設けられるとともに、前記ＬＥＤ光源の下方から前記ＬＥＤ光源の水平方向に向かって、前記ＬＥＤ光源から離間しつつ延びるような形態で設けられたカバーと、
を備えることを特徴とする。
【０００８】
この照明器具は、ＬＥＤ光源からの光をカバー内面で受光可能とされている。ＬＥＤ光源は水平方向又は斜め下方を向くように設置されており、カバーはＬＥＤ光源の下方から水平方向に向かって離間しながら延びるように設けられている。このような構成により、ＬＥＤ光源が真下を向くように配置され、その真下にカバーを備えた照明器具に比べて以下の効果を奏する。すなわち、本発明の照明器具では、カバーの内面に対してＬＥＤ光源の出射光がより広く照射される。また、ＬＥＤ光源から出射される光は、強度が大きい光ほど遠い位置でカバーに入射する。これにより、カバーからの出射光の強度ムラが低減される。このため、導光板等の光を拡散させる部材を用いることなく、強度ムラが低減された光を広範囲に照射することができ、コストの面で有利である。
【０００９】
本発明の洗面化粧台は、ミラーと、
前記ミラーの上方に配された前記照明器具と、
を備え、
前記ＬＥＤ光源は、前記発光面が、前記ミラーの正面方向である斜め下方を向くように設置されていることを特徴とする。
【００１０】
この場合、照明器具は、導光板を用いることなく広い範囲を照射することができる。このため、コストの面で有利である。また、ＬＥＤ光源の発光面がミラーの正面方向である斜め下方を向くように設置されていることによって、洗面化粧台の使用者を好適に照らすことができる。
【図面の簡単な説明】
【００１１】
【図１】実施例１の照明器具、及びそれを備えた洗面化粧台を示す正面図である。
【図２】実施例１の照明器具、及びそれを備えた洗面化粧台を示す側面図である。
【図３】実施例１のミラーキャビネットの扉を開いた状態を示す斜視図である。
【図４】実施例１の照明器具、及びミラーキャビネットの要部を示す概略断面図である。
【図５】実施例１の照明器具を示す斜視図である。
【図６】実施例１に係るＬＥＤ光源の配光曲線を示す図である。
【図７】実施例１の照明器具の要部を示す概略図である。
【発明を実施するための形態】
【００１２】
本発明における好ましい実施の形態を説明する。
【００１３】
本発明の照明器具において、前記カバーは、前記発光面に対して交差した方向に広がる照射面を有し得る。この場合、ＬＥＤ光源の発光面に対して平行な方向ばかりではなく、ＬＥＤ光源の発光面に対して交差した方向に照射することができる。また、カバーの形状の自由度を向上させることができる。
【００１４】
本発明の照明器具において、前記カバーは、前記ＬＥＤ光源の水平方向で広がる照射面を有し得る。この場合、ＬＥＤ光源の水平方向も照射することができる。
【００１５】
本発明の洗面化粧台は、更に、前記ミラーの後方に設けられた収納部を備え、
前記ＬＥＤ光源は、前記ミラーよりも後方に配され、前記収納部を照射可能とされ得る。この場合、ミラーよりも後方に配されたＬＥＤ光源によって、収納部が好適に照らされる。このため、収納部への物品の出し入れの際の視認性が良い。
【００１６】
次に、本発明の照明器具、及びそれを備えた洗面化粧台を具体化した実施例１について、図面を参照しつつ説明する。なお、実施例１において、「前方」とは、洗面化粧台の正面側の方向（図２における左方向）を意味する。
【００１７】
＜実施例１＞
実施例１の洗面化粧台１は、図１及び図２に示すように、ベースキャビネット２、ミラーキャビネット３、及び照明器具４を備えている。ベースキャビネット２は、その上面部に、洗面器５、及び水洗器具６を備えている。ミラーキャビネット３は、ベースキャビネット２の奥側上部に設けられている。ミラーキャビネット３は、図３に示すように、前面にミラー７Ａが取着された扉７を開くことにより、その後方の収納部８にアクセス可能となっている。照明器具４は、ミラーキャビネット３の上端部に設けられている。
【００１８】
照明器具４は、図４及び図５に示すように、ＬＥＤ光源１０、及びカバー２０を備えている。照明器具４は、略水平方向に延びるように形成された天板３０と、この天板の一端側から下方に延びるように形成された背板４０と、背板４０の下端部及び天板３０の他端側を結ぶように取り付けられたカバー２０と、に囲まれて形成される空間Ｒを有している。背板４０の空間Ｒ側の面は、水平方向よりもやや下方に向くように形成されている。
【００１９】
図４に示すように、ＬＥＤ光源１０は、空間Ｒ内であって、背板４０の空間Ｒ側の面に取り付けられている。これにより、ＬＥＤ光源１０は、その発光面（照射面）Ｆが水平方向よりやや下方に向くようにされている。ＬＥＤ光源１０は、ミラー７Ａよりも後方に配されている。また、ＬＥＤ光源１０は、収納部８の前端面の略直上に配されている。図５に示すように、ＬＥＤ光源１０は、幅方向に複数個が略等間隔で並んで配設されている。ＬＥＤ光源１０は、所謂表面実装型の素子を採用している。
【００２０】
ＬＥＤ光源１０からの光は、出射角度０°を中心として放射状に出射されるとともに、その強度は出射角度に応じて異なる分布を示している。図６は、本実施例１におけるＬＥＤ光源１０の配光曲線を示している。配光曲線は、放射状に出射される光の各方向における強度を示すものである。ＬＥＤ光源１０から出射される光の強度は、発光面Ｆに直交する方向である出射角度０°が最も強く、１０°、２０°、・・・（−１０°、−２０°、・・・）と角度が増加（減少）するに従って弱くなる。すなわち、ＬＥＤ光源１０の出射光の強度Ｉθ°は、Ｉ０°を最大として、Ｉ１０°＞Ｉ２０°＞Ｉ３０°＞・・・（Ｉ−１０°＞Ｉ−２０°＞Ｉ−３０°＞・・・）のように減少している。なお、上記出射角度は、ＬＥＤ光源１０の発光面Ｆに直交する方向を出射角度０°としている。
【００２１】
カバー２０は、照射面が略均一な厚みに形成された半透明の樹脂製である。カバー２０は、ＬＥＤ光源１０を覆うように、ＬＥＤ光源１０の光の出射方向前方に配設されている。また、カバー２０は、ＬＥＤ光源１０が並設されている方向（幅方向）に延びる形態で設けられている。
【００２２】
カバー２０は、下方照射面部２１、及び前方照射面部２２を備えている。下方照射面部２１は、ＬＥＤ光源１０の発光面Ｆに対して交差した方向に広がるように形成されている。下方照射面部２１は、ＬＥＤ光源１０の略鉛直下方位置からＬＥＤ光源１０の前方、すなわち、ＬＥＤ光源１０の水平方向に向かって斜め上方へ延びる形態をなしている。下方照射面部２１は、下部２１Ａの内面よりも上部２１Ｂの内面のほうが、ＬＥＤ光源１０との距離が遠くなるように設けられている。前方照射面部２２は、ＬＥＤ光源１０の水平方向で広がるように設けられている。前方照射面部２２は、下方照射面部２１の上端部から上方に屈曲するように、下方照射面部２１に連続して形成されている。また、カバー２０は、その略全体に渡って、下部の内面よりも上部の内面のほうがＬＥＤ光源１０との距離が遠くなるような形態とされている。
【００２３】
このような構成を有する照明器具４、及びそれを備えた洗面化粧台１は、次に示すようにＬＥＤ光源１０からの光を照射する。
【００２４】
ＬＥＤ光源１０は、その発光面Ｆが斜め下方を向くように設置されている。これにより、ＬＥＤ光源１０の発光面Ｆ正面の強い光がミラー７Ａの正面方向に向けて照射される。このため、洗面化粧台１の使用者の顔や手元、洗面器５に向けて、より強い光が照射される。また、ＬＥＤ光源１０は、ミラー７Ａよりも後方に配されている。これにより、収納部８が好適に照らされる。また、照明器具４では、ＬＥＤ光源１０からの出射光は、カバー２０の内面に直接照射されるようにしているため、導光板等の部材を必要としない。
【００２５】
カバー２０は、ＬＥＤ光源１０の下方に設けられているとともに、ＬＥＤ光源１０から離間しつつＬＥＤ光源１０の前方（水平方向）に向かって延びるような形態で設けられている。これにより、カバー２０の大きさが確保されるとともに、そのカバーの内面に対してＬＥＤ光源の出射光が広く照射される。このため、照明器具４は、光を広い範囲に照射可能である。また、ＬＥＤ光源１０の水平方向で広がる前方照射面部２２が設けられていることにより、その前方にも光を照射可能である。このため、照明器具４は、より広範囲に光を照射可能である。
【００２６】
ＬＥＤ光源１０からの光がカバー２０の内面に向けて出射される際には、図７に示すように、カバー２０の下方照射面部２１の上部２１Ｂには、出射角度０°近傍の光が出射される。下方照射面部２１の上部２１Ｂは、下方照射面部２１の下部２１ＡよりもＬＥＤ光源１０から遠い位置にあるので、ＬＥＤ光源１０からの光はより広がって入射する。すなわち、下方照射面部２１の上部２１Ｂの内面には、出射角度０°近傍の光が広い範囲に拡散して照射される。
【００２７】
一方、カバー２０の下方照射面部２１の下部２１Ａには、図７に示すように、出射角度４０°近傍の光が出射される。下方照射面部２１の下部２１Ａは、下方照射面部２１の上部２１ＢよりもＬＥＤ光源１０から近い位置にあるので、ＬＥＤ光源１０からの光は上部２１Ｂに照射される光のようには拡がらずに入射する。すなわち、下方照射面部２１の下部２１Ａの内面には、出射角度４０°近傍の光が上部２１Ｂよりも狭い範囲に照射される。
【００２８】
具体的には、例えば、図７に示すように、ＬＥＤ光源１０からの出射角度０°を中心とした出射角度−１０°〜１０°の光の拡がりの範囲Ａ１は、出射角度４０°を中心とした出射角度３０°〜５０°の光の拡がりの範囲Ａ２よりも大きくなる。
【００２９】
ところで、上述のように、ＬＥＤ光源１０からの出射光は、発光面Ｆの正面である出射角度０°近傍が出射角度４０°近傍よりも強い。従って、本実施例１において、下方照射面部２１の内面には、ＬＥＤ光源１０からの距離が遠い位置では強い光が拡散して照射さ
れ、ＬＥＤ光源１０からの距離が近い位置では、遠い位置よりも弱い光が高密度で照射される。このため、ＬＥＤ光源１０からの光がカバー２０を通過する際には、強度差が抑制される。これにより、カバー４を通過する光の強度ムラが低減され、ＬＥＤ光源１０の発光面Ｆの正面方向に位置する使用者は、カバー４が略均一に光っている状態で照らされる。
【００３０】
更に、図７に示すように、ＬＥＤ光源１０からの出射光の各角度におけるカバー２０内の光路長Ｄθ°は、Ｄ０°＞Ｄ１０°＞Ｄ２０°＞Ｄ３０°＞・・・のように小さくなっている。すなわち、ＬＥＤ光源１０からの出射光は、その強度が弱くなるほど短い光路長でカバー２０内を通過するようにされている。これにより、カバー２０では、強度差が抑制されてムラの低減された光を照射可能となる。
【００３１】
従って、実施例１の照明器具４は、製造コストを抑制しつつ、強度ムラの低減された光を広範囲に照射できる。また、実施例１の洗面化粧台１は、上記照明器具４を備えたことにより、コストの面で有利である。
【００３２】
本発明は上記記述及び図面によって説明した実施例に限定されるものではなく、例えば次のような実施例も本発明の技術的範囲に含まれる。
（１）実施例１では、ＬＥＤ光源を、発光面が斜め下方を向くように設置したが、発光面が水平方向を向くように設置するようにしてもよい。
<１>
発光面が水平方向又は斜め下方を向くように設置されたＬＥＤ光源と、
前記ＬＥＤ光源からの出射光を内面で受光可能に設けられるとともに、前記ＬＥＤ光源の下方から前記ＬＥＤ光源の水平方向に向かって、前記ＬＥＤ光源から離間しつつ延びるような形態で設けられたカバーと、
を備えることを特徴とする照明器具。
<２>
前記カバーは、前記発光面に対して交差した方向に広がる照射面を有することを特徴とする<１>に記載の照明器具。
<３>
前記カバーは、前記ＬＥＤ光源の水平方向で広がる照射面を有することを特徴とする<１>又は<２>に記載の照明器具。
<４>
ミラーと、
前記ミラーの上方に配された、<１>乃至<３>のいずれか一項に記載の照明器具と、
を備え、
前記ＬＥＤ光源は、前記発光面が、前記ミラーの正面方向である斜め下方を向くように設置されていることを特徴とする洗面化粧台。
<５>
更に、前記ミラーの後方に設けられた収納部を備え、
前記ＬＥＤ光源は、前記ミラーよりも後方に配され、前記収納部を照射可能とされていることを特徴とする<４>記載の洗面化粧台。
【符号の説明】
【００３３】
１…洗面化粧台
２…ベースキャビネット
３…ミラーキャビネット
４…照明器具
５…洗面器
６…水洗器具
７…扉
７Ａ…ミラー
１０…光源
２０…カバー
２１…下方照射面部
２１Ａ…（下方照射面部の）下部
２１Ｂ…（下方照射面部の）上部
２２…前方照射面部
３０…天板
４０…背板
Ｄθ°…（カバー内の）光路長
Ｆ…（ＬＥＤ光源の）発光面
Ｉθ°…（ＬＥＤ光源からの光の）強度
Ｒ…（天板、背板、及びカバーにより囲まれた）空間
【図１】
2020109776.tif 000003
【図２】
2020109776.tif 000004
【図３】
2020109776.tif 000005
【図４】
2020109776.tif 000006
【図５】
2020109776.tif 000007
【図６】
2020109776.tif 000008
【図７】
2020109776.tif 000009